Podtech/llm-jp-corpus-v4-ja_patent huggingface dataset:
【手続補正書】
【提出日】平成27年5月18日(2015.5.18)
【手続補正１】
【補正対象書類名】明細書
【補正対象項目名】０００７
【補正方法】変更
【補正の内容】
【０００７】
本発明の目的を達成するために、例えば、本発明の画像処理装置は、３次元物体と、人の手との相対位置を特定する特定手段と、
前記３次元物体の断面を表す複数の断層像の中から、前記特定手段によって特定された相対位置に対応する断層像を取得する取得手段と、
前記取得手段により取得された断層像を表示部に表示させる表示制御手段と
を備えることを特徴とする。
【手続補正２】
【補正対象書類名】特許請求の範囲
【補正対象項目名】全文
【補正方法】変更
【補正の内容】
【特許請求の範囲】
【請求項１】
３次元物体と、人の手との相対位置を特定する特定手段と、
前記３次元物体の断面を表す複数の断層像の中から、前記特定手段によって特定された相対位置に対応する断層像を取得する取得手段と、
前記取得手段により取得された断層像を表示部に表示させる表示制御手段と
を備えることを特徴とする画像処理装置。
【請求項２】
前記３次元物体に関する位置情報を保持する保持手段と、
前記人の手を含む画像を入力する入力手段とを更に備え、
前記特定手段は、前記入力手段によって入力された画像と、前記位置情報と、に基づいて、前記相対位置を特定することを特徴とする請求項１に記載の画像処理装置。
【請求項３】
前記保持手段が保持する位置情報は、前記入力手段が入力する画像に基づいて取得されることを特徴とする請求項２に記載の画像処理装置。
【請求項４】
前記入力手段によって入力される画像は、距離センサからの距離を表す距離値を画素値として有する画素から成る距離画像であることを特徴とする請求項２又は３に記載の画像処理装置。
【請求項５】
更に、
前記距離画像から前記手の領域を検出し、該領域内の画素値から該手の３次元位置を求めると共に、該領域の形状を求める手段を備えることを特徴とする請求項４に記載の画像処理装置。
【請求項６】
前記３次元物体を載置している載置面の長辺に沿う軸をｘ軸、該載置面の短辺に沿う軸をｙ軸、該載置面の法線に沿う軸をｚ軸、とする３次元座標系を定義した場合に、
前記取得手段は、前記形状が、前記距離画像の従前のフレームから変わっている場合には、
ｘ軸方向の各スライス位置における断面の断層像、ｙ軸方向の各スライス位置における断面の断層像、ｚ軸方向の各スライス位置における断面の断層像、のうち、前記手の領域の形状に予め関連付けられている軸方向の断層像群を特定し、該特定した断層像群のうち、前記手の該軸方向の位置に予め関連付けられている断層像を、前記表示部への表示対象として取得する
ことを特徴とする請求項５に記載の画像処理装置。
【請求項７】
前記３次元物体を載置している載置面の長辺に沿う軸をｘ軸、該載置面の短辺に沿う軸をｙ軸、該載置面の法線に沿う軸をｚ軸、とする３次元座標系を定義した場合に、
前記取得手段は、前記形状が、前記距離画像の従前のフレームから変わっていない場合には、
前記手の動きに予め関連付けられている軸方向の断層像群のうち、前記手の該軸方向の位置に予め関連付けられている断層像を、前記表示部への表示対象として取得する
ことを特徴とする請求項５又は６に記載の画像処理装置。
【請求項８】
前記載置面と平行な断面のスライス位置に対応する前記３次元座標系における位置を（ｘ、ｙ、ｚ）とした場合に、該断層像に予め関連付けられている座標は（ｘ、ｙ、ｚ＋Ｂ）（Ｂは定数））であることを特徴とする請求項６又は７に記載の画像処理装置。
【請求項９】
前記３次元物体を載置している載置面の長辺に沿う軸をｘ軸、該載置面の短辺に沿う軸をｙ軸、該載置面の法線に沿う軸をｚ軸、とする３次元座標系を定義した場合に、
更に、
前記３次元物体の距離画像から得られる該３次元物体の３次元形状と、前記複数の断層像から構成されるボリュームデータが表す前記３次元物体の３次元形状と、の位置合わせを行うことで、ｘ軸方向の各スライス位置における断面の断層像と、前記ボリュームデータにおいて該スライス位置に対応するｘ座標値の前記３次元座標系におけるｘ座標値とを関連付け、ｙ軸方向の各スライス位置における断面の断層像と、前記ボリュームデータにおいて該スライス位置に対応するｙ座標値の前記３次元座標系におけるｙ座標値とを関連付け、ｚ軸方向の各スライス位置における断面の断層像と、前記ボリュームデータにおいて該スライス位置に対応するｚ座標値の前記３次元座標系におけるｚ座標値にバイアスを加えたものとを関連付ける手段を備え、
前記取得手段は、前記形状が、前記距離画像の従前のフレームから変わっている場合には、
ｘ軸方向の各スライス位置における断面の断層像、ｙ軸方向の各スライス位置における断面の断層像、ｚ軸方向の各スライス位置における断面の断層像、のうち、前記手の領域の形状に予め関連付けられている軸方向の断層像群を特定し、該特定した断層像群のうち、前記手の該軸方向の位置に関連付けられている断層像を、前記表示部への表示対象として取得する
ことを特徴とする請求項５に記載の画像処理装置。
【請求項１０】
前記表示制御手段は、前記取得手段が取得した断層像を、前記手の位置に応じたフィルタリングを行ってから前記表示部に表示することを特徴とする請求項１に記載の画像処理装置。
【請求項１１】
更に、
前記手の状態に応じてＸ線撮像装置の撮影範囲を指定し、該指定した撮影範囲を該Ｘ線撮像装置に送出する手段を備えることを特徴とする請求項１に記載の画像処理装置。
【請求項１２】
前記表示制御手段は、
表示する断層像を、前記手の動きに応じて拡大／縮小することを特徴とする請求項１乃至１１の何れか１項に記載の画像処理装置。
【請求項１３】
前記３次元物体は患者であって、
前記特定手段は、前記患者と、該患者以外の人の手との相対位置を特定し、
前記複数の断層像は、前記患者の医療画像であることを特徴とする請求項１乃至１２の何れか１項に記載の画像処理装置。
【請求項１４】
画像処理装置が行う画像処理方法であって、
前記画像処理装置の特定手段が、３次元物体と、人の手との相対位置を特定する特定工程と、
前記画像処理装置の取得手段が、前記３次元物体の断面を表す複数の断層像の中から、前記特定手段によって特定された相対位置に対応する断層像を取得する取得工程と、
前記画像処理装置の表示制御手段が、前記取得工程で取得された断層像を表示部に表示させる表示制御工程と
を備えることを特徴とする画像処理方法。
【請求項１５】
コンピュータを、請求項１乃至１３の何れか１項に記載の画像処理装置の各手段として機能させるためのコンピュータプログラム。
【手続補正書】
【提出日】平成27年9月9日(2015.9.9)
【手続補正１】
【補正対象書類名】特許請求の範囲
【補正対象項目名】全文
【補正方法】変更
【補正の内容】
【特許請求の範囲】
【請求項１】
遊技状態としてリプレイ役の当選確率が所定の通常リプレイ状態及びリプレイ役の当選確率が通常リプレイ状態よりも高い高確率再遊技状態があり、何れかの遊技状態でスタート手段が正規操作されると、複数個の図柄が描かれた回胴を複数変動させる変動表示ゲームを開始して役抽選を行い、複数の回胴が所定回転数になって、複数の回胴に対応して設けられた停止スイッチの正規操作が有効となり、有効化された停止スイッチが個々に正規操作され、変動する回胴が全て停止したときに、表示窓に現れた図柄の組み合わせによって役が成立したことを表示すると共に、前記役抽選で内部当選したボーナス役が入賞すると開始されるボーナスゲームで、スタート手段の正規操作から停止スイッチが有効化されるまでに、演出の為に複数の回胴を変動させるフリーズ演出を行う遊技機において、
前記停止スイッチの押し順を報知する特定遊技と、
前記回胴の回転と停止とを制御する制御部と、
を備え、
前記特定遊技の当選又は不当選を報知するフリーズ演出において、前記制御部は、当選の場合には振動する特定図柄を一直線に揃えて停止させる一方、不当選の場合には特定図柄をテンパイ状態とし、最後の特定図柄を一直線状態から先に進めて停止させること、
を特徴とする遊技機。
【手続補正２】
【補正対象書類名】明細書
【補正対象項目名】００２２
【補正方法】変更
【補正の内容】
【００２２】
請求項１に係る本発明の遊技機は、上記の目的を達成する為に、遊技状態としてリプレイ役の当選確率が所定の通常リプレイ状態及びリプレイ役の当選確率が通常リプレイ状態よりも高い高確率再遊技状態があり、何れかの遊技状態でスタート手段が正規操作されると、複数個の図柄が描かれた回胴を複数変動させる変動表示ゲームを開始して役抽選を行い、複数の回胴が所定回転数になって、複数の回胴に対応して設けられた停止スイッチの正規操作が有効となり、有効化された停止スイッチが個々に正規操作され、変動する回胴が全て停止したときに、表示窓に現れた図柄の組み合わせによって役が成立したことを表示すると共に、前記役抽選で内部当選したボーナス役が入賞すると開始されるボーナスゲームで、スタート手段の正規操作から停止スイッチが有効化されるまでに、演出の為に複数の回胴を変動させるフリーズ演出を行う遊技機において、前記停止スイッチの押し順を報知する特定遊技と、前記回胴の回転と停止とを制御する制御部と、を備え、前記特定遊技の当選又は不当選を報知するフリーズ演出において、前記制御部は、当選の場合には振動する特定図柄を一直線に揃えて停止させる一方、不当選の場合には特定図柄をテンパイ状態とし、最後の特定図柄を一直線状態から先に進めて停止させることを特徴とする。
【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
電気―機械エネルギ変換素子と、
前記電気―機械エネルギ変換素子が固着された弾性部材と、
前記弾性部材に振動が励起されることによって、前記弾性部材との間に相対変位が生じる被駆動部材と、
前記弾性部材と前記被駆動部材との間に設けられた接触部材と、を備え、
前記弾性部材は非金属材料から成り、
前記被駆動部材は非金属材料から成り、
前記接触部材は、樹脂、非酸化物系セラミックス、または充填剤が添加されたセラミックスからなる振動型駆動装置。
【請求項２】
前記被駆動部材は、樹脂から成る請求項１に記載の振動型駆動装置。
【請求項３】
前記被駆動部材は、強化プラスチックから成る請求項１に記載の振動型駆動装置。
【請求項４】
前記被駆動部材は、セラミックスから成る請求項１に記載の振動型駆動装置。
【請求項５】
前記弾性部材は、樹脂から成る請求項１乃至４いずれか一項に記載の振動型駆動装置。
【請求項６】
前記弾性部材は、強化プラスチックから成る請求項１乃至４いずれか一項に記載の振動型駆動装置。
【請求項７】
前記弾性部材は、セラミックスから成る請求項１乃至４いずれか一項に記載の振動型駆動装置。
【請求項８】
前記弾性部材は、前記非金属材料として部分安定化ジルコニアから成ることを特徴とする請求項１乃至４のいずれか１項に記載の振動型駆動装置。
【請求項９】
前記接触部材は、前記被駆動部材の一部であり、前記被駆動部材と同じ材料から形成されている請求項１乃至３、５、及び６いずれか一項に記載の振動型駆動装置。
【請求項１０】
前記接触部材は、前記弾性部材の一部であり、前記弾性部材と同じ材料から形成されている請求項１乃至３、５、及び６いずれか一項に記載の振動型駆動装置。
【請求項１１】
前記弾性部材を支持する非金属材料から成る第１の支持部材と、
前記被駆動部材を支持する非金属材料から成る第２の支持部材と、
前記弾性部材および前記被駆動部材の少なくとも一方を前記接触部材へ接触加圧する非金属材料から成る加圧部材と、を備えた請求項１乃至７いずれか一項に記載の振動型駆動装置。
【請求項１２】
医療器具と、
医療器具を保持する保持部と、
保持部に取り付けられた振動型駆動装置と、を備え
前記振動型駆動装置は、
電気―機械エネルギ変換素子と、
前記電気―機械エネルギ変換素子が固着された弾性部材と、
前記弾性部材に振動が励起されることによって、前記弾性部材との間に相対変位が生じる被駆動部材と、
前記弾性部材と前記被駆動部材との間に設けられた接触部材と、を備え、
前記弾性部材は非金属材料から成り、
前記被駆動部材は非金属材料から成り、
前記接触部材は、非金属材料から成る、医療装置。
【請求項１３】
前記被駆動部材は、樹脂から成る請求項１２に記載の医療装置。
【請求項１４】
前記被駆動部材は、強化プラスチックから成る請求項１２に記載の医療装置。
【請求項１５】
前記被駆動部材は、セラミックスから成る請求項１２に記載の医療装置。
【請求項１６】
前記弾性部材は、樹脂から成る請求項１２乃至１５いずれか一項に記載の医療装置。
【請求項１７】
前記弾性部材は、強化プラスチックから成る請求項１２乃至１５いずれか一項に記載の医療装置。
【請求項１８】
前記弾性部材は、セラミックスから成る請求項１２乃至１５いずれか一項に記載の医療装置。
【請求項１９】
前記弾性部材は、前記非金属材料として部分安定化ジルコニアから成ることを特徴とする請求項１２乃至１５のいずれか１項に記載の医療装置。
【請求項２０】
前記接触部材は、樹脂から成る請求項１２乃至１９いずれか一項に記載の医療装置。
【請求項２１】
前記接触部材は、非酸化物系セラミックスまたは充填剤が添加されたセラミックスから成る請求項１２乃至１９いずれか一項に記載の医療装置。
【請求項２２】
前記接触部材は、前記被駆動部材の一部であり、前記被駆動部材と同じ材料から形成されている請求項１２乃至１４、１６、及び１７いずれか一項に記載の医療装置。
【請求項２３】
前記接触部材は、前記弾性部材の一部であり、前記弾性部材と同じ材料から形成されている請求項１２乃至１４、１６、及び１７いずれか一項に記載の医療装置。
【請求項２４】
前記弾性部材を支持する非金属材料から成る第１の支持部材と、
前記被駆動部材を支持する非金属材料から成る第２の支持部材と、
前記弾性部材および前記被駆動部材の少なくとも一方を前記接触部材へ接触加圧する非金属材料から成る加圧部材と、を備えた請求項１２乃至２３いずれか一項に記載の医療装置。
【請求項２５】
磁気共鳴イメージング装置と、
前記磁気共鳴イメージング装置内部に設けられた請求項１２乃至２４いずれか一項に記載の医療装置と、
を備える医療システム。
【手続補正書】
【提出日】平成27年5月7日(2015.5.7)
【手続補正１】
【補正対象書類名】特許請求の範囲
【補正対象項目名】全文
【補正方法】変更
【補正の内容】
【特許請求の範囲】
【請求項１】
第１の駆動機構および当該第１の駆動機構と異なる第２の駆動機構のエラーの有無を監視し、
前記エラーを検出すると、前記エラーが発生した駆動機構および前記エラーの種別を判別し、
検出された前記エラーが前記第１の駆動機構で発生した予め定められたエラーであることを判別したとき、前記第１の駆動機構を停止させ、前記第２の駆動機構を動作させることを特徴とするプリンターの制御方法。
【請求項２】
前記第１の駆動機構は、記録媒体を搬送経路に沿って搬送する動作を行わせる搬送系駆動機構であり、
前記第２の駆動機構は、印刷ヘッドから前記記録媒体にインクの吐出を行う動作を行わせる印刷系駆動機構である請求項１に記載のプリンターの制御方法。
【請求項３】
前記印刷系駆動機構は、前記印刷ヘッドのインクノズル面をキャッピングするキャップを動作させるキャップ開閉機構を有し、
検出された前記エラーが前記搬送系駆動機構で発生した予め定められたエラーであることを判別したとき、前記キャップ開閉機構を動作させる請求項２に記載のプリンターの制御方法。
【請求項４】
前記第１の駆動機構は、ロール紙から繰り出される記録媒体に紙送りローラーを押し付けて搬送する紙送り機構であり、
前記第２の駆動機構は、装填される前記ロール紙の回転を停止させるブレーキ機構であり、
検出された前記エラーが前記紙送り機構で発生した前記紙送りローラーのロック状態であることを判別したとき、前記ブレーキ機構を動作させて前記ロール紙の回転を停止させる請求項１に記載のプリンターの制御方法。
【請求項５】
検出された前記エラーが前記紙送り機構で発生した前記紙送りローラーの異常発熱であることを判別したとき、
前記紙送り機構の動作を停止させ、前記ブレーキ機構の動作を停止させる請求項４に記載のプリンターの制御方法。
【請求項６】
記録媒体にインクを吐出する印刷ヘッドと、
前記印刷ヘッドにインクを供給するインク供給機構と、
前記印刷ヘッドのインクノズル面をキャッピングするキャップと、
前記キャップを動作させるキャップ開閉機構と、
前記インク供給機構の動作のエラーを検出する供給検出部と、
前記印刷ヘッドでインクが吐出される前記記録媒体を搬送する紙送り機構と、
前記紙送り機構の動作のエラーを検出する搬送動作検出部と、
前記供給検出部での検出結果及び前記搬送動作検出部での検出結果を監視し、前記搬送動作検出部での検出結果により前記紙送り機構のエラーが検出されたとき、前記紙送り機構を停止させ、前記キャップ開閉機構を動作させる制御部と、
を有することを特徴とするプリンター。
【請求項７】
ロール紙を回転可能に装填するロール紙装填部と、
前記ロール紙装填部に装填された前記ロール紙の回転を停止させるブレーキ機構と、
前記ロール紙から繰り出される記録媒体を搬送する紙送りローラーと、
前記紙送りローラーを回転させる紙送りモーターと、
前記紙送りモーターの動作を検出するモーター動作検出部と、
前記紙送りローラーで搬送された前記記録媒体にインクを吐出する印刷ヘッドと、
前記モーター動作検出部での検出結果を監視し、前記モーター動作検出部での検出結果により前記紙送りモーターのロック状態が検出されたときに前記紙送りモーターを停止させ、前記ブレーキ機構を動作させて前記ロール紙の回転を停止させる制御部と、
を有することを特徴とするプリンター。
【手続補正２】
【補正対象書類名】明細書
【補正対象項目名】０００９
【補正方法】変更
【補正の内容】
【０００９】
上記の課題を解決するために、本発明のプリンターの制御方法は、
第１の駆動機構および当該第１の駆動機構と異なる第２の駆動機構のエラーの有無を監視し、
前記エラーを検出すると、前記エラーが発生した駆動機構および前記エラーの種別を判別し、
検出された前記エラーが前記第１の駆動機構で発生した予め定められたエラーであることを判別したとき、前記第１の駆動機構を停止させ、前記第２の駆動機構を動作させることを特徴としている。
【手続補正３】
【補正対象書類名】明細書
【補正対象項目名】００１２
【補正方法】変更
【補正の内容】
【００１２】
ここで、前記印刷系駆動機構は、前記印刷ヘッドのインクノズル面をキャッピングするキャップを動作させるキャップ開閉機構を有し、検出された前記エラーが前記搬送系駆動機構で発生した予め定められたエラーであることを判別したとき、前記キャップ開閉機構を動作させることが望ましい。このようにすると、インクノズル面が乾燥しない状態でプリンターを停止させることができる。よって、ノズル詰まりによる印刷不良やノズルを回復させるためのメンテナンスの負荷を軽減できる。
【手続補正４】
【補正対象書類名】明細書
【補正対象項目名】００１３
【補正方法】変更
【補正の内容】
【００１３】
また、前記第１の駆動機構は、ロール紙から繰り出される記録媒体に紙送りローラーを押し付けて搬送する紙送り機構であり、前記第２の駆動機構は、装填される前記ロール紙の回転を停止させるブレーキ機構であり、検出された前記エラーが前記紙送り機構で発生した前記紙送りローラーのロック状態であることを判別したとき、前記ブレーキ機構を動作させて前記ロール紙の回転を停止させることが望ましい。このようにすると、記録媒体の搬送が止まった場合にロール紙の回転も止めることができるため、ロール紙の慣性によって搬送路に余分な記録媒体が繰り出されるのを防止できる。よって、紙ジャムの発生を防止できる。
【手続補正５】
【補正対象書類名】明細書
【補正対象項目名】００１４
【補正方法】変更
【補正の内容】
【００１４】
あるいは、検出された前記エラーが前記紙送り機構で発生した前記紙送りローラーの異常発熱であることを判別したとき、前記紙送り機構の動作を停止させ、前記ブレーキ機構の動作を停止させることが望ましい。このようにすると、過熱による駆動機構の故障を防止できる。
【手続補正６】
【補正対象書類名】明細書
【補正対象項目名】００１５
【補正方法】変更
【補正の内容】
【００１５】
次に、本発明のプリンターは、
記録媒体にインクを吐出する印刷ヘッドと、
前記印刷ヘッドにインクを供給するインク供給機構と、
前記印刷ヘッドのインクノズル面をキャッピングするキャップと、
前記キャップを動作させるキャップ開閉機構と、
前記インク供給機構の動作のエラーを検出する供給検出部と、
前記印刷ヘッドでインクが吐出される前記記録媒体を搬送する紙送り機構と、
前記紙送り機構の動作のエラーを検出する搬送動作検出部と、
前記供給検出部での検出結果及び前記搬送動作検出部での検出結果を監視し、前記搬送動作検出部での検出結果により前記紙送り機構のエラーが検出されたとき、前記紙送り機構を停止させ、前記キャップ開閉機構を動作させる制御部と、を有することを特徴としている。
【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
複数のキャビティーを設ける基板と、
前記キャビティーに設けられるダイアフラムと、
前記ダイアフラムに設けられる薄膜ピエゾ素子と、
前記複数のキャビティーを連通させる連通路と、
前記連通路と外気と連通させる空気孔と、
を備えることを特徴とする超音波プローブ。
【請求項２】
前記超音波プローブの筐体の外壁面に前記空気孔が配置され、
前記空気孔には、空気を通過させ液体及び固体は通過させない半透過膜が設けられていることを特徴とする請求項１に記載の超音波プローブ。
【請求項３】
前記連通路は前記複数のキャビティーの全てを連通させることを特徴とする請求項１又は２に記載の超音波プローブ。
【請求項４】
前記ダイアフラムの前記キャビティー側の面は、湾曲した凹面を有することを特徴とする請求項１乃至３の何れかに記載の超音波プローブ。
【請求項５】
請求項１乃至４の何れかに記載の超音波プローブと、
前記超音波プローブから送信される信号に基づいて信号処理を行う信号処理部を有する装置本体と、
を備えることを特徴とする超音波検査装置。
【請求項６】
第１キャビティーおよび第２キャビティ―を有する基板と、
前記第１キャビティーおよび第２キャビティ―のそれぞれに設けられたダイアフラムと、
前記ダイアフラムに設けられた圧電素子と、
前記第１キャビティ―と、前記第２キャビティ―と、外気と、を連通する連通路と、
を備えることを特徴とする超音波プローブ。
【請求項７】
請求項６に記載の超音波プローブと、
前記超音波プローブから送信される信号に基づいて信号処理を行う信号処理部を有する装置本体と、
を備えることを特徴とする超音波検査装置。
【手続補正２】
【補正対象書類名】明細書
【補正対象項目名】００２２
【補正方法】変更
【補正の内容】
【００２２】
また、超音波プローブ１０は、ケーブル２１０を介して、後述する超音波検査装置１００の装置本体３００（図６参照）と電気的に接続される。
また、超音波プローブ１０の筐体２００の一部には空気孔２２０が設けられている。超音波プローブ１０は、被検査対象と接触させるセンシング部２００ａとオペレーターが掴むグリップ部２００ｃを有しており、センシング部２００ａとグリップ部２００ｃは中間部２００ｂで繋がっている。空気孔２２０は中間部２００ｂに配置されており、オペレーターが空気孔２２０を塞いでしまうことが無い外観デザインになっている。
【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
照明光源から発せられた照明光を患者眼に向けて照射させる照明光学系と，前記照明光によって照明された患者眼を観察する観察光学系と，を備える眼科用手術顕微鏡であって、
前記照明光学系は、患者眼に向けて照射される前記照明光の結像状態を変更させるための変更手段を備えることを特徴とする眼科用手術顕微鏡。
【請求項２】
請求項１に記載の眼科用手術顕微鏡において、
前記変更手段は、前記照明光学系の光路に配置された光学素子を前記照明光学系の光軸に沿って移動させるための移動機構、又は、前記照明光学系の光路に配置され所定の光学的パワーを持つ光学素子を前記照明光学系の光軸に挿脱させる挿脱機構を有することを特徴とする眼科用手術顕微鏡。
【請求項３】
請求項１に記載の眼科用手術顕微鏡において、前記変更手段は、前記照明光学系の光路であって前記観察光学系の光路から外れた位置に、前記照明光の結像状態を変更させるための光学部材を備えることを特徴とする眼科用手術顕微鏡。
【手続補正２】
【補正対象書類名】明細書
【補正対象項目名】０００６
【補正方法】変更
【補正の内容】
【０００６】
上記課題を解決するために、本発明は以下のような構成を備えることを特徴とする。
（１）  
照明光源から発せられた照明光を患者眼に向けて照射させる照明光学系と，前記照明光によって照明された患者眼を観察する観察光学系と，を備える眼科用手術顕微鏡であって、
前記照明光学系は、患者眼に向けて照射される前記照明光の結像状態を変更させるための変更手段を備えることを特徴とする。
【手続補正書】
【提出日】平成27年6月2日(2015.6.2)
【手続補正１】
【補正対象書類名】明細書
【補正対象項目名】００４３
【補正方法】変更
【補正の内容】
【００４３】
（評価１：清掃性評価試験）
歯ブラシのブラッシング圧及び移動速度を一定に保ちながら、固定した顎模型（Ｄ１５−５００Ｈ、ニッシン社、京都）の歯をブラッシングできるように設計されたブラッシングシミュレータを用いた。プラークの代替として咬合チェック用スプレー・オクルード（パスカル社、ＵＳＡ）の着色粉末を顎模型に塗布した。ブラッシング圧は３００ｇに設定し、長手方向のストロークで、ストローク幅２０ｍｍ、振動数１８０ｒｐｍでブラッシングした。その後、顎模型の対象歯の撮影を行い、画像解析を行った。清掃性の評価は、着色粉末の除去率を、下記のように算出することでおこなった。
着色粉末除去率（％）＝［｛（部位面積）−（着色粉末残存面積）｝／（部位面積）］×１００
【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
抑止部材を備えた安全装置であって、前記抑止部材が、ライドの座席に対して、前記ライドの座席に乗客が着席及び該座席から離席することができる空間が確保される第１位置と該座席に着席した乗客の身体の動きを抑止する第２位置との間を可動するように構成された安全装置と、
前記抑止部材の第１面の少なくとも一部に設けられた入力装置と、
を備えた、ライドアトラクションのライドであって、
前記入力装置は、
乗客の手によって把持可能に構成された、可動しない本体部と、
乗客の手の指によって操作可能に構成された、可動する操作部と、
を備える、ライドアトラクションのライド。
【請求項２】
前記抑止部材は、一対のアームを有し、
前記一対のアームの一方のアームの先端部分は、他方のアームの先端部分と結合するように構成され、
前記入力装置は、前記第１面における前記アームの前記結合する部分に設けられている、請求項１に記載のライド。
【請求項３】
前記本体部は、開口部を有し、
前記操作部は、前記開口部から表出している、請求項２に記載のライド。
【請求項４】
前記操作部は、当該操作部における可動する部分を横断方向に回動させる乗客の手を受けるように形成された突起部を有する、請求項３に記載のライド。
【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
農作物を跨ぐ門型枠を備えた走行装置と、門型枠の下方に設けた摘採装置と、該摘採装置の直後かつ下方より全巾に渡って前記摘採装置により刈り取った農作物を後方へ送風する送風手段と、後方へ送風された農作物を収容する農作物収容部とよりなるとともに、前記送風手段による吹出口は後方に０〜４０度の上向き傾斜をしていることを特徴とする農作物収穫機。
【請求項２】
前記摘採装置は、水平なバリカン型の刈刃と、該刈刃で刈った農作物を後方へ移送するため前記刈刃に沿った回転体とよりなることを特徴とする請求項１記載の農作物収穫機。
【請求項３】
前記摘採装置は、水平な固定刃と、該固定刃に沿った回転刃とよりなり、該回転刃により農作物を後方へ移送することを特徴とする請求項１記載の農作物収穫機。
【請求項４】
前記摘採装置は弧状になっており、茶葉を収穫することを特徴とする請求項１記載の農作物収穫機。
【手続補正２】
【補正対象書類名】明細書
【補正対象項目名】０００３
【補正方法】変更
【補正の内容】
【０００３】
特許文献１は、切断部にて刈取り後、搬送部にてコンテナ載置部まで搬送される収穫作業機である。
【手続補正３】
【補正対象書類名】明細書
【補正対象項目名】００１１
【補正方法】変更
【補正の内容】
【００１１】
本発明の第１手段は、農作物を跨ぐ門型枠を備えた走行装置と、門型枠の下方に設けた摘採装置と、該摘採装置の直後かつ下方より全巾に渡って前記摘採装置により刈り取った農作物を後方へ送風する送風手段と、後方へ送風された農作物を収容する農作物収容部とよりなるとともに、前記送風手段による吹出口は後方に０〜４０度の上向き傾斜をしていることを特徴とする農作物収穫機。本発明の第２手段は、上記第１手段において、前記摘採装置は、水平なバリカン型の刈刃と、該刈刃で刈った農作物を後方へ移送するため前記刈刃に沿った回転体とよりなる。本発明の第３手段は、上記第１手段において、前記摘採装置は、水平な固定刃と、該固定刃に沿った回転刃とよりなり、該回転刃により農作物を後方へ移送する。
【手続補正４】
【補正対象書類名】明細書
【補正対象項目名】００１２
【補正方法】変更
【補正の内容】
【００１２】
本発明の第４手段は、上記第１手段において、前記摘採装置は弧状になっており、茶葉を収穫する。
【手続補正５】
【補正対象書類名】明細書
【補正対象項目名】００１５
【補正方法】変更
【補正の内容】
【００１５】
本発明の装置は、農作物を跨ぐ門型枠を備えた走行装置と、門型枠の下方に設けた摘採装置と、該摘採装置の直後かつ下方より全巾に渡って前記摘採装置により刈り取った農作物を後方へ送風する送風手段と、後方へ送風された農作物を収容する農作物収容部とよりなるとともに、前記送風手段による吹出口は後方に０〜４０度の上向き傾斜をしている。特に、前記摘採装置は、水平なバリカン型の刈刃と、該刈刃で刈った農作物を後方へ移送するため前記刈刃に沿った回転体とよりなるもの（実施例１）、前記摘採装置は、水平な固定刃と、該固定刃に沿った回転刃とよりなり、該回転刃により農作物を後方へ移送するもの（実施例２）、前記摘採装置は弧状になっており、茶葉を収穫するもの（実施例３）等がある。
【手続補正書】
【提出日】平成27年9月8日(2015.9.8)
【手続補正１】
【補正対象書類名】特許請求の範囲
【補正対象項目名】全文
【補正方法】変更
【補正の内容】
【特許請求の範囲】
【請求項１】
工作機械に関するパラメータとして予めデフォルト値を入力して、前記工作機械の動かし方を記述した加工プログラムを作成する加工プログラム作成用コンピュータと、
前記加工プログラムに従い工具を動かして所定の形状にワークを加工する工作機械と、
前記工作機械の実態に基づいて前記加工プログラムにおける前記前記工作機械に関するパラメータについての補正値として、加工により得られたデータに基づかないパラメータを自動的に検出する検出手段と、
前記検出手段により検出された補正値を前記コンピュータに認識できる形式として、前記コンピュータへ引き渡すインターフェース部とからなり、
前記コンピュータは前記インターフェース部から引き渡された前記補正値に基づき前記工作機械に関するパラメータの実態を反映するべく前記デフォルト値を補正する機能を有することを特徴とする工作機械のインターフェースシステム。
【請求項２】
工作機械に関するパラメータとして予めデフォルト値を入力して作成され、工作機械の動かし方を記述した加工プログラムに従い工具を動かして所定の形状にワークを加工する工作機械と、
前記工作機械の実態に基づいて前記加工プログラムにおける前記前記工作機械に関するパラメータについての補正値として、加工により得られたデータに基づかないパラメータを自動的に検出する検出手段と、
前記検出手段により検出された補正値を、前記加工プログラムを作成した加工プログラム作成用コンピュータに認識できる形式として、前記コンピュータへ引き渡すインターフェース部とからなる、
ことを特徴とする工作機械のインターフェースシステム。
【請求項３】
前記工作機械に関するパラメータとしては、請求項１又は２において、前記工作機械の本体に関するパラメータ、前記工作機械の工具に関するパラメータ及び前記工作機械の本体又は工具の制約に関するパラメータが使用されることを特徴とする工作機械のインターフェースシステム。
【手続補正２】
【補正対象書類名】明細書
【補正対象項目名】００１６
【補正方法】変更
【補正の内容】
【００１６】
上記課題を解決する本発明の請求項１に係る工作機械のインターフェースシステムは、工作機械に関するパラメータとして予めデフォルト値を入力して、前記工作機械の動かし方を記述した加工プログラムを作成する加工プログラム作成用コンピュータと、前記加工プログラムに従い工具を動かして所定の形状にワークを加工する工作機械と、前記工作機械の実態に基づいて前記加工プログラムにおける前記前記工作機械に関するパラメータについての補正値として、加工により得られたデータに基づかないパラメータを自動的に検出する検出手段と、前記検出手段により検出された補正値を前記コンピュータに認識できる形式として、前記コンピュータへ引き渡すインターフェース部とからなり、前記コンピュータは前記インターフェース部から引き渡された前記補正値に基づき前記工作機械に関するパラメータの実態を反映するべく前記デフォルト値を補正する機能を有することを特徴とする。
【手続補正３】
【補正対象書類名】明細書
【補正対象項目名】００１７
【補正方法】変更
【補正の内容】
【００１７】
上記課題を解決する本発明の請求項２に係る工作機械のインターフェースシステムは、工作機械に関するパラメータとして予めデフォルト値を入力して作成され、工作機械の動かし方を記述した加工プログラムに従い工具を動かして所定の形状にワークを加工する工作機械と、前記工作機械の実態に基づいて前記加工プログラムにおける前記前記工作機械に関するパラメータについての補正値として、加工により得られたデータに基づかないパラメータを自動的に検出する検出手段と、前記検出手段により検出された補正値を、前記加工プログラムを作成した加工プログラム作成用コンピュータに認識できる形式として、前記コンピュータへ引き渡すインターフェース部とからなる、ことを特徴とする。
【手続補正４】
【補正対象書類名】明細書
【補正対象項目名】００１９
【補正方法】削除
【補正の内容】
【手続補正５】
【補正対象書類名】明細書
【補正対象項目名】００２３
【補正方法】削除
【補正の内容】
【手続補正書】
【提出日】平成27年10月29日(2015.10.29)
【手続補正１】
【補正対象書類名】明細書
【補正対象項目名】００１１
【補正方法】変更
【補正の内容】
【００１１】
上記目的を達成するため、本発明の第１の観点に係る目視検査訓練装置は、記憶手段、表示手段および表示制御手段を備える。記憶手段は、複数の文字または数字を不規則に配列した文字順追い表、および類似する複数の図形を不規則に配列した図形探し表の少なくともいずれかを含む目視検査訓練表を記憶する。表示手段は、目視検査訓練表を表示する。表示制御手段は、表示手段の表示の開始を制御する。
【手続補正２】
【補正対象書類名】特許請求の範囲
【補正対象項目名】全文
【補正方法】変更
【補正の内容】
【特許請求の範囲】
【請求項１】
複数の文字または数字を不規則に配列した文字順追い表、および類似する複数の図形を不規則に配列した図形探し表の少なくともいずれかを含む目視検査訓練表を記憶する記憶手段と、
前記目視検査訓練表を表示する表示手段と、
前記表示手段の表示の開始を制御する表示制御手段と、
を備える目視検査訓練装置。
【請求項２】
訓練対象のユーザの、複数の文字または数字または図形を不規則に配列した不具合検出力試験表を用いた不具合検出力試験の試験結果を示す成績情報を取得する成績取得手段をさらに備え、
前記ユーザの成績情報に基づいて、前記文字順追い表の文字または数字の総数、および前記図形探し表の図形の総数の少なくともいずれかを変更し、前記ユーザの訓練負荷を調整する第１調整手段を備える請求項１に記載の目視検査訓練装置。
【請求項３】
前記表示制御手段が前記目視検査訓練表の表示を開始すると、経過時間の計測を開始し、定められた訓練時間が経過すると、前記表示制御手段に前記訓練時間の経過を通知する計時手段をさらに備え、
前記表示制御手段は、前記計時手段から前記訓練時間の経過を通知されると、現在表示している前記目視検査訓練表の表示を終了する請求項１または２に記載の目視検査訓練装置。
【請求項４】
訓練対象のユーザの、複数の文字または数字または図形を不規則に配列した不具合検出力試験表を用いた不具合検出力試験の試験結果を示す成績情報を取得する成績取得手段をさらに備え、
前記ユーザの成績情報に基づいて、前記訓練時間を変更し、前記ユーザの訓練負荷を調整する第２調整手段を備える請求項３に記載の目視検査訓練装置。
【請求項５】
訓練対象のユーザの、複数の文字または数字または図形を不規則に配列した不具合検出力試験表を用いた不具合検出力試験の試験結果を示す成績情報を取得する成績取得手段をさらに備え、
前記記憶手段は、前記不具合検出力試験表と、前記不具合検出力試験表の正解の文字または数字または図形を示す正解情報とを記憶し、
前記表示制御手段は、前記正解の文字または数字または図形を見つけるよう指示するメッセージと共に、前記不具合検出力試験表を前記表示手段に表示させ、
前記成績取得手段は、
前記メッセージに対する前記ユーザの回答と前記ユーザを識別する情報の入力を受け付ける入力手段、および、
前記入力手段に入力された前記ユーザの回答と前記ユーザを識別する情報とを対応付けて前記記憶手段に記憶させる集計手段、を備え、
前記計時手段は、前記表示制御手段が前記不具合検出力試験表の表示を開始すると、経過時間の計測を開始し、定められた試験時間が経過すると、前記表示制御手段に前記試験時間の経過を通知し、
前記表示制御手段は、前記計時手段から前記試験時間の経過を通知されると、前記不具合検出力試験表の表示を終了し、
前記集計手段は、前記表示制御手段が前記不具合検出力試験表の表示を終了すると、前記記憶手段が記憶する前記ユーザの回答と前記正解情報とを照合して正解を集計し、前記ユーザを識別する情報と前記正解の数を示す情報とを対応付けて、前記成績情報として前記記憶手段に記憶させる請求項３または４に記載の目視検査訓練装置。
【請求項６】
前記表示手段に表示される前記目視検査訓練表の文字または数字または図形の大きさが８〜１２ｍｍ、文字または数字または図形の間隔が１０〜１５ｍｍ、行間が１５〜２５ｍｍである請求項１から５までのいずれか１項に記載の目視検査訓練装置。
【請求項７】
記憶手段、表示制御手段および表示手段を備える目視検査訓練装置が実行する目視検査訓練方法であって、
前記記憶手段が記憶する、複数の文字または数字を不規則に配列した文字順追い表、および類似する複数の図形を不規則に配列した図形探し表の少なくともいずれかを含む目視検査訓練表を、前記表示制御手段が前記表示手段に表示させる表示開始ステップを備える目視検査訓練方法。
【請求項８】
コンピュータを、
複数の文字または数字を不規則に配列した文字順追い表、および類似する複数の図形を不規則に配列した図形探し表の少なくともいずれかを含む目視検査訓練表を記憶する記憶手段、
前記目視検査訓練表を表示する表示手段、および、
前記表示手段の表示の開始を制御する表示制御手段、
として機能させるプログラム。
【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
開始操作が行われることに基づいて複数列の図柄を変動させて行う変動ゲームが図柄導出手段で開始され、停止操作が行われることに基づいて前記図柄導出手段に図柄が導出される遊技機において、
特定条件の成立を契機に変動ゲームの進行を停滞させるための停滞制御を行う停滞制御手段と、
前記停滞制御中、前記図柄導出手段で前記図柄を変動させ、停滞中演出を実行させる停滞中演出制御手段と、
停滞中演出において、前記図柄導出手段に特定図柄が導出された場合、遊技者に特典を付与する特典付与手段と、を備え、
前記停滞中演出制御手段は、
前記停滞制御が開始してから所定時間が経過したことを条件に前記図柄を変動させ、前記停滞制御が開始してから前記所定時間が経過するよりも前に開始操作が行われたことを条件に前記図柄を変動させ、
前記図柄を変動させてから停止操作が行われると特定図柄を導出可能に構成されていることを特徴とする遊技機。
【手続補正２】
【補正対象書類名】明細書
【補正対象項目名】０００５
【補正方法】変更
【補正の内容】
【０００５】
しかしながら、特許文献１の段落番号［０１３３］に示すように、従来の遊技機では、フリーズ演出中のスロット演出において、操作に応じて表示画面に表示されたリール画像が停止される一方、フリーズ演出中、実際のリールは停止したままである。このため、遊技の興趣が向上しにくかった。
【手続補正３】
【補正対象書類名】明細書
【補正対象項目名】０００７
【補正方法】変更
【補正の内容】
【０００７】
上記問題点を解決する遊技機は、開始操作が行われることに基づいて複数列の図柄を変動させて行う変動ゲームが図柄導出手段で開始され、停止操作が行われることに基づいて前記図柄導出手段に図柄が導出される遊技機において、特定条件の成立を契機に変動ゲームの進行を停滞させるための停滞制御を行う停滞制御手段と、前記停滞制御中、前記図柄導出手段で前記図柄を変動させ、停滞中演出を実行させる停滞中演出制御手段と、停滞中演出において、前記図柄導出手段に特定図柄が導出された場合、遊技者に特典を付与する特典付与手段と、を備え、前記停滞中演出制御手段は、前記停滞制御が開始してから所定時間が経過したことを条件に前記図柄を変動させ、前記停滞制御が開始してから前記所定時間が経過するよりも前に開始操作が行われたことを条件に前記図柄を変動させ、前記図柄を変動させてから停止操作が行われると特定図柄を導出可能に構成されていることを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
開始操作が行われることに基づいて複数列の図柄を変動させて行う変動ゲームが図柄導出手段で開始され、停止操作が行われることに基づいて前記図柄導出手段に図柄が導出される遊技機において、
特定条件の成立を契機に変動ゲームの進行を停滞させるための停滞制御を行う停滞制御手段と、
前記停滞制御中、前記図柄導出手段で前記図柄を変動させ、停滞中演出を実行させる停滞中演出制御手段と、を備え、
前記停滞中演出制御手段は、前記停滞制御中、前記図柄の変動を開始させてから所定時間が経過したことを条件に前記図柄を導出させるとともに、前記停滞制御中、前記図柄の変動を開始させてから前記所定時間が経過するよりも前に停止操作が行われたことを条件に前記図柄を導出させるように構成されていることを特徴とする遊技機。
【手続補正２】
【補正対象書類名】明細書
【補正対象項目名】０００５
【補正方法】変更
【補正の内容】
【０００５】
しかしながら、特許文献１の段落番号［０１３３］に示すように、従来の遊技機では、フリーズ演出中のスロット演出において、操作に応じて表示画面に表示されたリール画像が停止される一方、フリーズ演出中、実際のリールは停止したままである。このため、遊技の興趣が向上しにくかった。
【手続補正３】
【補正対象書類名】明細書
【補正対象項目名】０００７
【補正方法】変更
【補正の内容】
【０００７】
上記問題点を解決する遊技機は、開始操作が行われることに基づいて複数列の図柄を変動させて行う変動ゲームが図柄導出手段で開始され、停止操作が行われることに基づいて前記図柄導出手段に図柄が導出される遊技機において、特定条件の成立を契機に変動ゲームの進行を停滞させるための停滞制御を行う停滞制御手段と、前記停滞制御中、前記図柄導出手段で前記図柄を変動させ、停滞中演出を実行させる停滞中演出制御手段と、を備え、前記停滞中演出制御手段は、前記停滞制御中、前記図柄の変動を開始させてから所定時間が経過したことを条件に前記図柄を導出させるとともに、前記停滞制御中、前記図柄の変動を開始させてから前記所定時間が経過するよりも前に停止操作が行われたことを条件に前記図柄を導出させるように構成されていることを要旨とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
開始操作が行われることに基づいて複数列の図柄を変動させて行う変動ゲームが図柄導出手段で開始され、停止操作が行われることに基づいて前記図柄導出手段に図柄が導出される遊技機において、
特定条件の成立を契機に変動ゲームの進行を停滞させるための停滞制御を行う停滞制御手段と、
前記停滞制御中、前記図柄導出手段で前記図柄を変動させ、停滞中演出を実行させる停滞中演出制御手段と、
前記停滞中演出を継続させるか否かの継続抽選を行う抽選手段と、を備え、
前記停滞中演出制御手段は、前記停滞制御中、所定条件の成立を契機として所定図柄を導出可能に構成され、
前記継続抽選に落選しない限り前記図柄を再度変動させることを特徴とする遊技機。
【手続補正２】
【補正対象書類名】明細書
【補正対象項目名】０００５
【補正方法】変更
【補正の内容】
【０００５】
しかしながら、特許文献１の段落番号［０１３３］に示すように、従来の遊技機では、フリーズ演出中のスロット演出において、操作に応じて表示画面に表示されたリール画像が停止される一方、フリーズ演出中、実際のリールは停止したままである。このため、遊技の興趣が向上しにくかった。
【手続補正３】
【補正対象書類名】明細書
【補正対象項目名】０００７
【補正方法】変更
【補正の内容】
【０００７】
上記問題点を解決する遊技機は、開始操作が行われることに基づいて複数列の図柄を変動させて行う変動ゲームが図柄導出手段で開始され、停止操作が行われることに基づいて前記図柄導出手段に図柄が導出される遊技機において、特定条件の成立を契機に変動ゲームの進行を停滞させるための停滞制御を行う停滞制御手段と、前記停滞制御中、前記図柄導出手段で前記図柄を変動させ、停滞中演出を実行させる停滞中演出制御手段と、前記停滞中演出を継続させるか否かの継続抽選を行う抽選手段と、を備え、前記停滞中演出制御手段は、前記停滞制御中、所定条件の成立を契機として所定図柄を導出可能に構成され、前記継続抽選に落選しない限り前記図柄を再度変動させることを要旨とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【誤訳訂正書】
【提出日】平成26年12月8日(2014.12.8)
【誤訳訂正１】
【訂正対象書類名】特許請求の範囲
【訂正対象項目名】全文
【訂正方法】変更
【訂正の内容】
【特許請求の範囲】
【請求項１】
（ａ）トリフレートを含むオニウム塩化合物を提供し、および
（ｂ）前記オニウム塩化合物をヨウ化物塩で処理してオニウム化合物の異なる塩を形成する
ことを含む、オニウム塩化合物を製造する方法。
【請求項２】
（ａ）スルホネート成分が電子求引性基を含む、当該スルホネート成分と、下記一般式：
【化１】
2014097969.tif 000001
（式中、Ｘは、Ｃ＝Ｏ、Ｓ（Ｏ）、ＳＯ２、Ｃ（＝Ｏ）Ｏ、Ｃ（＝Ｏ）ＮＨ、Ｃ（＝Ｏ）−Ｃ（＝Ｏ）−、または−Ｏ−であり；Ｒは、場合によって置換されている炭素環式アリールまたは場合によって置換されているアルキルである）で表されるカチオン成分を含むオニウム塩化合物を提供し、および
（ｂ）前記オニウム塩化合物をハロゲン化物塩で処理してオニウム化合物の異なる塩を形成する
ことを含む、オニウム塩化合物を製造する方法。
【請求項３】
前記１以上の電子求引性基が１以上のハロゲン原子を含む、請求項２に記載の方法。
【請求項４】
前記スルホネート成分がトリフレートである、請求項２に記載の方法。
【請求項５】
前記スルホネート成分が、次の一般式（Ｉ）：
【化２】
2014097969.tif 000002
（式中、Ｒ１およびＲ３は、独立に、水素、ハロゲン、シアノ、ニトロ、場合によって置換されているアルキル、および場合によって置換されている炭素環式アリールから選択され；
Ｒ２はＲ１およびＲ３と同じかまたは異なっており、かつ結合部分、水素、ハロゲン、シアノ、ニトロ、場合によって置換されているアルキル、および場合によって置換されている炭素環式アリールから選択され、
Ｒ１、Ｒ２およびＲ３の少なくとも１つは電子求引性基である）
のものである、請求項２から４のいずれか一項に記載の方法。
【請求項６】
Ｒ１、Ｒ２およびＲ３の１以上がハロゲンまたはハロゲン化アルキルである、請求項５に記載の方法。
【請求項７】
（ｉ）前記オニウム塩化合物がヨウ化物塩で処理されて、オニウム化合物のヨウ化物塩を形成し、および（ｉｉ）前記オニウム化合物の前記ヨウ化物塩がさらに処理されて、前記オニウム化合物の異なる塩を提供する、請求項１に記載の方法。
【請求項８】
（ｉ）前記オニウム塩化合物がハロゲン化物塩で処理されて、オニウム化合物のハロゲン化物塩を形成し、および（ｉｉ）前記オニウム化合物の前記ハロゲン化物塩がさらに処理されて、前記オニウム化合物の異なる塩を提供する、請求項２から６のいずれか一項に記載の方法。
【請求項９】
請求項２から６、および８のいずれか一項に記載の前記オニウム化合物の前記異なる塩とポリマーとを混合してフォトレジスト組成物を提供することを含む、フォトレジスト組成物を製造する方法。
【請求項１０】
（ｉ）請求項９に従って製造されたフォトレジスト組成物のコーティング層を基体表面上に適用し、（ｉｉ）前記フォトレジスト組成物層を活性化放射線に露光し、並びに（ｉｉｉ）前記露光されたフォトレジスト組成物層を現像してレジストレリーフ像を提供することを含む、フォトリソグラフィ方法。
【請求項１１】
（ａ）スルホネート成分が電子求引性基を含む、当該スルホネート成分と、下記一般式：
【化３】
2014097969.tif 000003
（式中、Ｘは、Ｃ＝Ｏ、Ｓ（Ｏ）、ＳＯ２、Ｃ（＝Ｏ）Ｏ、Ｃ（＝Ｏ）ＮＨ、Ｃ（＝Ｏ）−Ｃ（＝Ｏ）−、または−Ｏ−であり；Ｒは、場合によって置換されている炭素環式アリールまたは場合によって置換されているアルキルである）で表されるカチオン成分を含むオニウム塩を提供し、および
（ｂ）前記スルホネート塩をハロゲン化物塩で処理して、オニウム化合物のハロゲン化物塩を形成し、並びに
（ｃ）前記オニウム化合物の前記ハロゲン化物塩を処理して、前記オニウム化合物の異なる塩を形成すること
を含む方法によって得られるオニウム塩化合物。
【請求項１２】
ポリマーおよび請求項１１に記載のオニウム塩化合物を含むフォトレジスト。
【誤訳訂正２】
【訂正対象書類名】明細書
【訂正対象項目名】００１３
【訂正方法】変更
【訂正の内容】
【００１３】
オニウム塩は、オニウム塩化合物のアニオン成分をハロゲン化物塩のハロゲン化物アニオンで置換すること適切に許容し、それによってオニウム化合物の異なる塩を形成するために、ハロゲン化物塩を用いて多様な方法で処理することができる。つまり、オニウム化合物とは異なる塩は、提供されるオニウム塩化合物のアニオン成分（例えば、トリフレート（ＣＦ３ＳＯ３−））とは異なるアニオン成分（例えば、Ｉ−などのハロゲン化物イオン）を有することになる。
【誤訳訂正３】
【訂正対象書類名】明細書
【訂正対象項目名】００１４
【訂正方法】変更
【訂正の内容】
【００１４】
適した一処置方法では、オニウム塩化合物は、ハロゲン化物塩を含む流体溶液で洗浄される。かかる洗浄は、多様な方法で、例えばオニウム塩化合物の有機溶媒溶液とハロゲン化物塩を含む水溶液（例えば、ハロゲン化物塩の１、２または３Ｍ水溶液）を、オニウム化合物の異なる塩を形成するのに十分な時間および条件（例えば攪拌または渦攪拌）で混合することにより、適切に実行されることができる。
【誤訳訂正４】
【訂正対象書類名】明細書
【訂正対象項目名】００１９
【訂正方法】変更
【訂正の内容】
【００１９】
好ましい態様では、本発明のオニウム塩化合物およびフォトレジストは、ＥＵＶ像形成に使用される。本明細書に開示される１以上のオニウム塩化合物を含むフォトレジストは、他の放射線源、例えば１９３ｎｍおよびｅビーム放射線などによって像形成させられることもできる。